(57)【特許請求の範囲】
【請求項１】
本体ケース３にモーター６への通電をオン・オフするスイッチ構造が設けられており、
スイッチ構造は、本体ケース３の外側に配置したスライドノブ３２、およびスライドノブ３２で揺動操作される第１中間アーム３３と、本体ケース３の内側に配置されて、第１中間アーム３３で揺動操作される第２中間アーム３５、および同アーム３５でスライド操作されてスイッチ端子９を断続するスイッチピース３６とを含む電気かみそりであって、
箱状に形成される本体ケース３の側壁３ｂの外側にスライドノブ３２と第１中間アーム３３が、側壁３ｂの内側に第２中間アーム３５が、それぞれ配置されて、側壁３ｂを内外に貫通する揺動軸４０を介して両中間アーム３３・３５が同行揺動可能に連結されており、
前記側壁３ｂと隣接する主壁３ａの内面にスイッチピース３６が近接配置されて、第２中間アーム３５と連動可能に連繋されており、
スライドノブ３２および第１・第２の両中間アーム３３・３５と、スイッチピース３６とが、隣接する側壁３ｂと主壁３ａとに沿って交差配置してあり、
スイッチ端子９が本体ケース３内に配置固定した支持台３０で支持されており、
スイッチピース３６が支持台３０と一体に形成された複数個のガイド体５４で往復スライド可能に案内支持されており、
スイッチピース３６の側端に、第２中間アーム３５の動作を受継ぐ受動片５２が設けられており、
第２中間アーム３５と受動片５２との少なくともいずれか一方が、支持台３０の側面壁３０ａで揺動案内してあることを特徴とする電気かみそり。
【請求項２】
第２中間アーム３５に揺動軸部４４とボス４６とが同心状に設けられており、
揺動軸部４４とボス４６とが、支持台３０の側面壁３０ａに設けた軸受穴４９と、同穴４９の開口周縁壁に突設した部分円弧状のブッシュ片５０とで、それぞれ回動自在に軸支してある請求項１記載の電気かみそり。
【請求項３】
本体ケース３の内部に配置される第２中間アーム３５とスイッチピース３６とが、モーター６を支持する内ケース４の前後外郭線の内側に配置してある請求項１または２記載の電気かみそり。
【請求項４】
スイッチピース３６のオン側のストロークエンドに、スイッチピース３６の過剰スライドを阻止するストッパー３５が設けてある請求項１、２または３記載の電気かみそり。
【請求項５】
スイッチピース３６と支持台３０との間に、スイッチピース３６がオン位置へスライド変位した状態において係合する突起６６と弾性腕６７とが設けてある請求項１、２、３または４記載の電気かみそり。
【請求項６】
本体ケース３に内嵌装着されるフランジ部２７が、内ケース４の上部に張り出し形成されており、フランジ部２７の下面壁がストッパー６５を兼ねている請求項４または５記載の電気かみそり。
【発明の詳細な説明】
【０００１】
【発明の属する技術分野】
この発明は、電気かみそりのスイッチ構造に関する。
【０００２】
【従来の技術】
この発明のスイッチ構造に関して、実公平４−３９６２２号公報が公知である。そこでは、往復動するスライドノブと、スライドノブで揺動操作される中間アームと、中間アームと同行回動して接点をオン状態とオフ状態とに切り換えるスイッチピースとでスイッチを構成している。中間アームの揺動軸はＯリングで封止してある。また、中間アームと同行揺動する切換アームを設け、同アームでスイッチピースを上下スライドして、接点をオン・オフするスイッチが特開平１２−４２２６４号公報に公知である。
【０００３】
【発明が解決しようとする課題】
上記の中間アームは、その揺動軸が本体ケースのケース壁を内外に貫通しており、揺動軸に外嵌するＯリングで軸と穴の封止を行うので、封止構造を簡素化できる。問題は、全てのスイッチ部品を各部品間に位置するケース壁と共に前後に重ねて配置するので、本体ケースと接点との間に各スイッチ部品を収容できるだけのスペースを確保する必要があり、とくに前後厚みが薄い電気かみそりにおいて、スイッチ構造を本体ケース内に組み込むことが困難となる。
【０００４】
この発明の目的は、本体ケースと接点との対向間隔が小さい場合にもスイッチ構造を本体ケースに組むことができ、従って電気かみそりを小形化でき、あるいは前後厚みが小さな電気かみそりであっても、スイッチ構造を支障なく組み込めるようにすることにある。
【０００５】
【課題を解決するための手段】
この発明の電気かみそりは、本体ケース３にモーター６への通電をオン・オフするスイッチ構造を設ける。スイッチ構造は、本体ケース３の外側に配置したスライドノブ３２、およびスライドノブ３２で揺動操作される第１中間アーム３３と、本体ケース３の内側に配置されて、第１中間アーム３３で揺動操作される第２中間アーム３５、および同アーム３５でスライド操作されてスイッチ端子９を断続するスイッチピース３６とを含む。箱状に形成される本体ケース３の側壁３ｂの外側にスライドノブ３２と第１中間アーム３３を、側壁３ｂの内側に第２中間アーム３５を、それぞれ配置する。側壁３ｂを内外に貫通する揺動軸４０を介して両中間アーム３３・３５を同行揺動可能に連結する。前記側壁３ｂと隣接する主壁３ａの内面にスイッチピース３６を近接配置し、スイッチピース３６と第２中間アーム３５を連動可能に連繋する。以て、スライドノブ３２および第１・第２の両中間アーム３３・３５と、スイッチピース３６とが、隣接する側壁３ｂと主壁３ａとに沿って交差配置してあることを特徴とする。
【０００６】
スイッチ端子９は本体ケース３内に配置固定した支持台３０で支持する。スイッチピース３６を支持台３０と一体に形成された複数個のガイド体５４で往復スライド可能に案内支持する。スイッチピース３６の側端に、第２中間アーム３５の動作を受継ぐ受動片５２を設ける。第２中間アーム３５と受動片５２との少なくともいずれか一方を、支持台３０の側面壁３０ａで揺動案内する。
【０００７】
第２中間アーム３５に揺動軸部４４とボス４６を同心状に設ける。揺動軸部４４とボス４６とは、支持台３０の側面壁３０ａに設けた軸受穴４９と、同穴４９の開口周縁壁に突設した部分円弧状のブッシュ片５０とで、それぞれ回動自在に軸支する。
【０００８】
本体ケース３の内部に配置される第２中間アーム３５とスイッチピース３６とは、モーター６を支持する内ケース４の前後外郭線の内側に配置する。
【０００９】
スイッチピース３６のオン側のストロークエンドに、スイッチピース３６の過剰スライドを阻止するストッパー３５を設ける。
【００１０】
スイッチピース３６と支持台３０との間に、スイッチピース３６がオン位置へスライド変位した状態において係合する突起６６と弾性腕６７とを設ける。
【００１１】
本体ケース３に内嵌装着されるフランジ部２７を、内ケース４の上部に張り出し形成する。フランジ部２７の下面壁でストッパー６５を兼ねる。
【００１２】
【発明の作用効果】
スライドノブ３２、第１中間アーム３３、第２中間アーム３５、およびスイッチピース３６等でスイッチ構造を構成し、これらの部品を隣接する側壁３ｂと主壁３ａとに沿って交差配置するので、スイッチピース３６が主壁３ａに近接配置されていても、全てのスイッチ構造を支障なく本体ケース３に組み込むことができる。従って、この発明によれば、電気かみそりを前後厚みが小さな状態で小形化することができる。側壁３ｂを間にして内外に配置される第２中間アーム３５と、第１中間アーム３３を、両アーム３３・３５のいずれか一方に設けた揺動軸４０を介して連動可能に連結し、揺動軸４０が側壁３ｂを内外に貫通する連動構造を採るので、揺動軸４０の回りにＯリング４３等のシール材を配置するだけの簡単な構造で、側壁３ｂにおける防塵および防水を確実に行える。
【００１３】
スイッチピース３６を支持台３０に設けたガイド体５４でスライド案内したうえで、スイッチピース３６の側端に設けた受動片５２と、これをスライド操作する第２中間アーム３５の少なくともいずれか一方を、支持台３０の側面壁３０ａで摺動案内するので、スイッチピース３６をがた付きなく安定した状態で往復スライドできる。とくに、スイッチピース３６は一側上部に設けた受動片５２を介して第２中間アーム３５の動作を受継ぐが、このとき発生する傾動モーメントを、支持台３０の側面壁３０ａで受け止めることができるので、スイッチピース３６によるスイッチ端子９のオン・オフ切り換えを、確実にしかも安定して行える。
【００１４】
第２中間アーム３５の揺動軸部４４を、支持台３０の側面壁３０ａに設けた軸受穴４９で軸支したうえで、さらに揺動軸部４４と同心状に設けたボス４６を、軸受穴４９の開口周縁壁に設けたブッシュ片５０で回動自在に軸支するので、例えば揺動軸部４４のみで第２中間アーム３５を軸支する場合に比べて、同アーム３５をがたつきなく安定した状態で軸支でき、とくに小形化された第２中間アーム３５に衝撃的な外力が作用するような場合であっても、その衝撃力をブッシュ片５０で負担して、強度的に弱い揺動軸部４４が変形し、あるいは破損するのを防止して、スイッチ構造の信頼性を向上できる。なお、ボス４６とブッシュ片５０のそれぞれは、少なくとも第２中間アーム３５の揺動角度範囲に対応して形成してあればよい。
【００１５】
本体ケース３の前後厚みは、モーター６やモーター６を支持する内ケース４などの、主要構造部品の大きさによってほぼ決まってしまう。従って、スイッチを構成する各部品を、本体ケース３の主壁３ａと側壁３ｂに沿って配置したうえで、ケース内部に配置される第２中間アーム３５とスイッチピース３６のそれぞれを、内ケース４の前後外郭線の内側に配置すると、内ケース４で定まる本体ケース３の前後幅を大きくする必要もなく、スイッチ構成部品を支障なく本体ケース３内に組むことができ、電気かみそりを前後厚みが小さな状態で小形化し、コンパクト化できる。
【００１６】
スイッチピース３６のオン側のストロークエンドにストッパー６５を設けて、スイッチピース３６がオン位置を越えて過剰スライドするのを阻止するスイッチ構造によれば、スイッチピース３６によるスイッチ端子９の切り換えを明確化し、安定した状態でオン位置を維持できるうえ、スイッチ最終段のスイッチピース３６をストッパー６５で位置決めするので、例えばスライドノブ３２をストッパーで位置決めする場合に比べて、中間動作部材の遊びの影響を一掃して、オン位置の維持を適正にしかも安定して行える。図１１に示すようにストッパー６５としてスイッチピース３６を支持する内ケース４のフランジ部２７を利用する場合には、別途ストッパーを設ける場合に比べて、内ケース４の構造を簡素化できるうえ、スイッチピース３６の過剰スライドを確実に阻止できる。
【００１７】
スイッチピース３６と支持台３０との間に、互いに凹凸係合してスイッチピース３６をオン位置において係合保持する突起６６と弾性腕６７とを設けると、オン状態におけるスイッチピース３６の位置精度をさらに向上して、スイッチ端子９とスイッチピース３６のスライド端子５３との接触状態を確実に維持できる。落下衝撃等の外力を受けて、スイッチピース３６がオン位置からずれ動くこともよく防止でき、スイッチ切り換え時の安定接触を維持できる。
【００１８】
【実施例】
図１ないし図１１はこの発明に係る電気かみそりの実施例を示す。図２において電気かみそりは、本体部１とその上部に設けられるヘッド部２とで構成される。本体部１は、上下が開口する角箱状の本体ケース３と、本体ケース３に上方から組み込まれる内ケース４と、底ケース５などの構造体と、本体ケース４内に収容されるモーター６、二次電池７、および内ケース４の前面に装着される回路基板８等で構成する。本体ケース３の一側と回路基板８上に設けたスイッチ端子９との間に、モーター６への通電をオン・オフするスイッチ構造が設けられている。
【００１９】
図２および図３においてヘッド部２は、ヘッドフレーム１１と、その下面に固定したモーターホルダー１２と、ヘッド部と本体部１との間をシールするシール体１０、および外刃ホルダー２３などで構成する。ヘッドフレーム１１は、平板状のベースフレーム１３と、その上面左右に締結固定される左右一対の側枠１４・１５等で構成し、両側枠１４・１５でロータリー型の内刃１６を回転可能に支持する。モーター６の回転動力を内刃１６へ伝えるため、ベースフレーム１３の上面に突出するモーター出力軸に出力ギヤ１７を固定し、同ギヤ１７と噛み合うフェースギヤ１８で、モーター動力を横軸回りの回転動力に変換し、フェースギヤ軸と内刃１６とをギヤトレイン１９で連動可能に連結している。ギヤトレイン１９は、中空枠状に構成した、図３に向かって右側の側枠１５内に配置してある。
【００２０】
上記のヘッド部２においては、出力ギヤ１７およびフェースギヤ１８等がベースフレーム１３の上面上方に露出する。これらのギヤ１７・１８等を保護しながら、必要時には両ギヤ１７・１８の点検や交換、あるいは油滑用グリースの補給等を容易に行うために、ベースフレーム１３の上面をヘッドカバー２１で覆っている。ヘッドカバー２１は、前後に分割された前カバー２１ａと後カバー２１ｂとで構成してあり、左右の側枠１４・１５を前後から挟むようにして、前後カバー２１ａ・２１ｂを接合したうえで、両者２１ａ・２１ｂをビス２０で締結することにより、ヘッドフレーム１１と一体化される。この取り付け状態において、出力ギヤ１７およびフェースギヤ１８の外面は、ドーム状の保護壁で覆われている。
【００２１】
外刃２２を支持する外刃ホルダー２３は、上記のヘッドカバー２１に外嵌装着されて、両者間に設けたホルダーロック機構でロック保持してある。図３にそのロック爪２４と、ロック爪２４を進出付勢するばね２５を示している。これら両者２４・２５は先の前後カバー２１ａ・２１ｂの接合面間に組み込んである。
【００２２】
図４において、内ケース４は、本体ケース３に内嵌装着されるフランジ部２７を有し、その下面にモータ収容部２８と左右一対の電池収容部２９とを一体に成形してなる。内ケース４の前面の支持台３０にＨ字形の回路基板８が装着固定してある。この回路基板８の右上隅にスイッチ端子９を配置し、以下に説明するスイッチ構造でオン状態とオフ状態に、切り換えられるようにしている。
【００２３】
図６ないし図１０において、スイッチ構造は、本体ケース３の側壁３ｂの上部に配置したスライドノブ３２と、スライドノブ３２と側壁３ｂとの間に介装される第１中間アーム３３、および節度ピース３４と、内ケース４と先の側壁３ｂとの間に配置した第２中間アーム３５と、上下スライドしてスイッチ端子９をオン・オフするスイッチピース３６とからなる。
【００２４】
図６および図７において、スライドノブ３２は側壁３ｂの上端に凹み形成したガイド部３７に圧嵌装着されて、上下スライド自在に案内支持されている。その内部には、逆Ｕ字状の節度ピース３４が同行スライド可能に組み付けてある。節度ピース３４は、一対の弾性腕が、先のガイド部３７に突設したボス３８を乗り越えることにより、オン状態（図１０に示す状態）とオフ状態（図７に示す状態）をそれぞれ位置保持できる。スイッチピース３６のストッパー３５への当接は、スライドノブ３２における節度ピース３４がボス３８を乗り越える少し前である。すなわち、僅かではあるが、中間動作部材が弾性的にスイッチピース３６をストッパー３５へ押し当てている。
【００２５】
第１中間アーム３３は、アーム部３３ａと、アーム部３３ａの大径基端から本体ケース３のケース内へ向かって突設される揺動軸４０と、アーム部３３ａの先端に横向きに突設される受動ピン３３ｂとを有する。揺動軸４０を側壁３ｂに通設した軸受穴４１に内嵌することにより、第１中間アーム３３の全体が揺動可能に軸支される。受動ピン３３ｂは、スライドノブ３２の内面に設けた溝４２（図７参照）と係合する。従って、スライドノブ３２を下方のオフ位置から上方スライドすると、第１中間アーム３３は図７において時計回転方向へ揺動する。揺動軸４０と軸受穴４１とは、揺動軸４０に外嵌する状態で介装したＯリング４３で水密状に封止してある。
【００２６】
第２中間アーム３５は、アーム部３５ａの大径端と小径端のそれぞれに、互いに逆向きに突出する揺動軸部４４と、スイッチピース３６をスライド操作するピン４５とを設ける。揺動軸部４４の周囲にはアーム大径端の周縁形状に沿うボス４６を同心状に設け、その第１中間アーム３３との連結面に一文字状の係合溝４７を凹み形成している。この係合溝４７に嵌り込む係合軸４８が第１中間アーム３３の揺動軸４０の内端に設けてある。内ケース４の側面には、揺動軸部４４を軸支する軸受穴４９を設け、その開口周縁壁にボス４６を軸支する半円状のブッシュ片５０を設けている。図８に示すように第１・第２の両中間アーム３３・３５は、係合軸４８と係合溝４７を介して連結される。従って、第１中間アーム３３を揺動操作すると、第２中間アーム３５も同じ方向へ揺動変位する。
【００２７】
スイッチピース３６は、片面に左右一対のスライド脚５６が突設してある平板状の本体部５１を有し、その右側縁の上端に、先の第２中間アーム３５の動作を受継ぐ受動片５２を、本体部５１と直交状に連出形成してなる。本体部５１の裏面には、スイッチ端子９をオン・オフする一対のスライド端子５３が固定してある。スイッチピース３６は、内ケース４の支持台３０から突設した３個のガイド体５４で上下スライド自在に案内支持されて、図８に示すように、本体ケース３の主壁（前壁）３ａと僅かな隙間を介して内外に隣接している。受動片５２には前後方向に長い連結溝５５を通設し、この連結溝５５に第２中間アーム３５のピン４５を係合する。
【００２８】
以上のように、スライドノブ３２からスイッチピース３６に至る各部材を、本体ケース３の側壁３ｂから前壁３ａの内面にわたって交差配置し、さらに、各部材を図８に示すように内ケース４の前後外郭線の内側に配置すると、本体ケース３の前後厚み寸法を大きく設定する必要もなく、スイッチ構造を本体ケース３に支障なく組むことができる。組み付け状態における第２中間アーム３５は、そのアーム部３５の内面が支持台３０の側面壁３０ａと摺接し、受動片５２を受止めている。さらにスイッチピース３６は３個のガイド体５４でスライド案内されている。従って、スライドノブ３２をスライド操作するとき、受動片５２を介してスイッチピース３６に傾動モーメントが作用しても、このモーメントは受動片５２とアーム部３５を介して先の側面壁３０ａで受止められるので、スイッチピース３６ががた付きなく円滑にスライド変位できる。
【００２９】
オン側へスライド変位したスイッチピース３６が、適正なオン位置を越えて過剰にスライドするのを防ぐために、スイッチピース３６の上側のストロークエンドにストッパー６５を設ける。この実施例では、内ケース４のフランジ部２７の下面を利用してストッパー６５とした（図１１参照）。
【００３０】
上記の実施例以外に、第１・第２の両中間アーム３３・３５の連結構造は、以下のように変更できる。なお、以下の変形実施例においては、上記の実施例との変更部のみを説明し、他は同じ部材に同じ符号を付してその説明を省略する。
【００３１】
図１２においては、第２中間アーム３５に揺動軸４０を一体に設けて、その外端の角軸４０ａに第１中間アーム３３の角穴３３ｃを同行揺動可能に係合固定した。さらに、アーム部３５ａの先端にＵ字状の連繋溝５７を設け、これをピン状の受動片５２と係合させて、第２中間アーム３５でスイッチピース３６をスライド操作するようにした。
【００３２】
図１３においては、図６で説明した受動片５２の連結溝５５を、受動片５２の突端側で開放して、連結溝５５とピン４５の組み付けを容易化した。
【００３３】
図１４においては、第２中間アーム３５の先端に長穴からなる連繋穴５８を設け、これにピン状の受動穴５２を係合連結した。この場合の受動片５２は連繋穴５８に係合した後、ピン５９で抜止め保持する。
【００３４】
図１５においては、受動片５２の外面にピン６０を突設し、これを第２中間アーム３５の連繋溝５７と係合した。
【００３５】
図１６においては、第２中間アーム３５の突端に、棒状の連繋部６２を設け、これを受動片５２に設けた逆Ｖ字状の連繋凹部６３に係合して、両者３５・５２を連動可能に連結した。
【００３６】
図１７においては、スイッチピース３６と支持台３０との間に、オン位置において互いに係合する突起６６と弾性腕６７とを設けて、スイッチピース３６をオン位置において位置保持できるようにした。
【００３７】
上記の実施例では、スイッチ端子が回路基板８に配置してある場合について説明したが、その必要はなく、スイッチ端子９は支持台３０上に配置してあってもよい。
【図面の簡単な説明】
【図１】図７におけるＡ−Ａ線断面図である。
【図２】電気かみそりの正面図である。
【図３】ヘッド部の一部破断正面図である。
【図４】電気かみそりの分解斜視図である。
【図５】電気かみそりの側面図である。
【図６】スイッチ構造の側面図である。
【図７】スライドノブ内部の縦断面図である。
【図８】ケース内部のスイッチ構造を示す縦断側面図である。
【図９】スイッチピースとその周辺部の縦断正面図である。
【図１０】スイッチをオン状態に切り換えたスライドノブ内部の縦断面図である。
【図１１】スイッチをオン状態に切り換えたスイッチピースとその周辺部の縦断面図である。
【図１２】スイッチ構造の別の実施例を示す分解斜視図である。
【図１３】スイッチ構造のさらに別の実施例を示す分解斜視図である。
【図１４】スイッチ構造のさらに別の実施例を示す分解斜視図である。
【図１５】スイッチ構造のさらに別の実施例を示す分解斜視図である。
【図１６】スイッチ構造のさらに別の実施例を示す分解斜視図である。
【図１７】スイッチピース用のロック構造を示す一部破断正面図である。
【符号の説明】
３  本体ケース
３ａ  主壁
３ｂ  側壁
３２  スライドノブ
３３  第１中間アーム
３５  第２中間アーム
３６  スイッチピース
４０  揺動軸
【図１】
0004822234.tif 000002
【図２】
0004822234.tif 000003
【図３】
0004822234.tif 000004
【図４】
0004822234.tif 000005
【図５】
0004822234.tif 000006
【図６】
0004822234.tif 000007
【図７】
0004822234.tif 000008
【図８】
0004822234.tif 000009
【図９】
0004822234.tif 000010
【図１０】
0004822234.tif 000011
【図１１】
0004822234.tif 000012
【図１２】
0004822234.tif 000013
【図１３】
0004822234.tif 000014
【図１４】
0004822234.tif 000015
【図１５】
0004822234.tif 000016
【図１６】
0004822234.tif 000017
【図１７】
0004822234.tif 000018